(57)【要約】【課題】    本発明の目的は、分散型の商品販売データ処理装置と一体型の商品販売データ処理装置とにおいて、部品の共通化を図ることである。【解決手段】  商品販売データ処理のために機能するハードウェア構成物１０８を収納する扁平なコントロールボックスフレーム１０７の上面及び側面をトップカバー１０２で覆い前面をフロントカバー１０３で覆い、分散型のＰＯＳ端末のコントローラ１０１を構成する。コントロールボックスフレーム１０７には、先端側の高さを他の部分の高さよりも低くする段部１０９を設け、分散型ＰＯＳ端末として用いる場合には段部１０９に追加フレーム１１０を取り付けてトップカバー１０２の支持強度を確保し、一体型ＰＯＳ端末として用いる場合には段部１０９をキーボード設置スペースに提供することでキーボードの配置高さを低くできるようにする。【選択図】    図２
2006092456.tif 000002
【特許請求の範囲】
【請求項１】
分散型の商品販売データ処理装置を構成するコントローラにおいて、
扁平形状のフレーム構造体であって、先端側の高さを他の部分の高さよりも低くする段部を有するコントロールボックスフレームと、
前記コントロールボックスフレームに収納されて商品販売データ処理のために機能するハードウェア構成物と、
前記段部に着脱自在に取り付けられ、前記段部に取り付けられた状態で前記コントロールボックスフレームの前記先端側の高さと前記他の部分の高さとを揃える追加フレームと、
前記段部に前記追加フレームが取り付けられた状態で前記コントロールボックスフレームの上面及び側面を覆うように着脱自在に設けられたトップカバーと、
前記コントロールボックスフレームの前面を覆うように着脱自在に設けられたフロントカバーと、
を備えることを特徴とする商品販売データ処理装置のコントローラ。
【請求項２】
前記追加フレームには、前記段部に前記追加フレームが取り付けられた状態で、光ディスクを載置するトレイを前方に向けてローディングする光ディスクドライブが設けられている、ことを特徴とする請求項１記載の商品販売データ処理装置のコントローラ。
【請求項３】
前記追加フレームには、前記段部に前記追加フレームが取り付けられた状態で下方に延出するファンが設けられている、ことを特徴とする請求項１又は２記載の商品販売データ処理装置のコントローラ。
【請求項４】
前記追加フレームには、スピーカが設けられている、ことを特徴とする請求項１、２又は３記載の商品販売データ処理装置のコントローラ。
【請求項５】
扁平形状のフレーム構造体であって、先端側の高さを他の部分の高さよりも低くする段部を有するコントロールボックスフレームと、前記コントロールボックスフレームに収納されて商品販売データ処理のために機能するハードウェア構成物と、扁平形状のフレーム構造体であって、先端側の高さを他の部分の高さよりも低くする第２の段部を有し、前記ハードウェア構成物を収納した前記コントロールボックスフレームを前記第２の段部に前記段部を位置付けるようにして後部より引き出し自在に収納する本体フレームと、前記本体フレームの前記第２の段部に固定されるキーボードと、前記本体フレームの前記第２の段部以外の上部に固定されるディスプレイ及びプリンタと、前記本体フレームの正面と背面と両側面とをそれぞれ覆う複数個の化粧カバーと、を備える一体型の商品販売データ処理装置の製造と、
請求項１ないし４のいずれか一記載の商品販売データ処理装置のコントローラの製造と、
に際して、前記コントロールボックスフレーム及び前記ハードウェア構成物を共用するようにした、ことを特徴とする商品販売データ処理装置に用いる部品の共通化方法。
【発明の詳細な説明】
【技術分野】
【０００１】
本発明は、ＰＯＳ端末等の商品販売データ処理装置のコントローラ及びこれに用いる部品の共通化方法に関する。
【背景技術】
【０００２】
ＰＯＳ端末等の商品販売データ処理装置には、いわゆる分散型と呼ばれる種類のものと一体型と呼ばれる種類のものとがある。「分散型」というのは、商品販売データ処理を実行するコントローラ、キーボード、ディスプレイ及びプリンタ等の各構成要素が形態的に分離して構成された商品販売データ処理装置である。「一体型」というのは、そのようなコントローラ、キーボード、ディスプレイ及びプリンタ等の各構成要素が形態的に一体化されて構成された商品販売データ処理装置である。
【０００３】
分散型の商品販売データ処理装置では、一般的に、コントローラを例えばカウンタの下のスペースなどに隠して使用されることが多い。このため、コントローラには、幅や奥行きをできるだけ短くし、設置面積を小さくすることが求められる。
【０００４】
これに対して、一体型の商品販売データ処理装置では、背が低いオペレータにも良好な操作性を提供したいという要望や、商品販売データ処理装置が設置されるカウンタ上の圧迫感を低減したいという要望などを実現させるために、高さ、とりわけキーボード部分の高さを低くすることが求められる。
【０００５】
【特許文献１】特開平０８−２０４３５３号公報
【発明の開示】
【発明が解決しようとする課題】
【０００６】
前述したように、分散型の商品販売データ処理装置と一体型の商品販売データ処理装置とは、それぞれに求められる形態上の要求が異なる。このため、両者は全く異なる製品として把握され、その設計も全く別個に行われるのが一般的である。
【０００７】
その反面、コントローラについては、分散型も一体型も、基本的には同一の処理を実行する。このような処理の実行を司るのは、ＣＰＵやメモリ等を搭載するマザーボード、各種の拡張ボード、ＨＤＤ、電源ユニット、電源保護装置（ＵＰＳ）等のような商品販売データ処理のために機能するハードウェア構成物である。そこで、このようなハードウェア構成物については、分散型と一体型とで共用することができれば、部品点数の削減や製造工程の合理化等、数多くの利益が得られる。
【０００８】
ところが、前述したように、分散型と一体型とは、それぞれに求められる形態上の要求が異なることから、ハードウェア構成物を収納保持するコントロールボックスフレームとして、全く異なるフレーム構造体が用いられるのが一般的である。このため、コントロールボックスフレームに収納すべきハードウェア構成物のレイアウトやマザーボードの配線設計等についても、分散型と一体型とでは全く異なったものとなってしまう。
【０００９】
本発明の目的は、分散型の商品販売データ処理装置と一体型の商品販売データ処理装置とにおいて、部品の共通化を図ることである。
【課題を解決するための手段】
【００１０】
本発明は、分散型の商品販売データ処理装置（例えばＰＯＳ端末）を構成するコントラーラにおいて、扁平形状のフレーム構造体であって、先端側の高さを他の部分の高さよりも低くする段部を有するコントロールボックスフレームと、前記コントロールボックスフレームに収納されて商品販売データ処理のために機能するハードウェア構成物（例えば、ＣＰＵやメモリ等を搭載するマザーボード、各種の拡張ボード、ＨＤＤ、電源ユニット、電源保護装置（ＵＰＳ）等）と、前記段部に着脱自在に取り付けられ、前記段部に取り付けられた状態で前記コントロールボックスフレームの前記先端側の高さと前記他の部分の高さとを揃える追加フレームと、前記段部に前記追加フレームが取り付けられた状態で前記コントロールボックスフレームの上面及び側面を覆うように着脱自在に設けられたトップカバーと、前記コントロールボックスフレームの前面を覆うように着脱自在に設けられたフロントカバーと、を備える。追加フレームには、例えば、光ディスクドライブ、ファン、スピーカ等を設けることができる。
【００１１】
本発明は、扁平形状のフレーム構造体であって、先端側の高さを他の部分の高さよりも低くする段部を有するコントロールボックスフレームと、前記コントロールボックスフレームに収納されて商品販売データ処理のために機能するハードウェア構成物（例えば、ＣＰＵやメモリ等を搭載するマザーボード、各種の拡張ボード、ＨＤＤ、電源ユニット、電源保護装置（ＵＰＳ）等）と、扁平形状のフレーム構造体であって、先端側の高さを他の部分の高さよりも低くする第２の段部を有し、前記ハードウェア構成物を収納した前記コントロールボックスフレームを前記第２の段部に前記段部を位置付けるようにして後部より引き出し自在に収納する本体フレームと、前記本体フレームの前記第２の段部に固定されるキーボードと、前記本体フレームの前記第２の段部以外の上部に固定されるディスプレイ及びプリンタと、前記本体フレームの正面と背面と両側面とをそれぞれ覆う複数個の化粧カバーと、を備える一体型の商品販売データ処理装置（例えばＰＯＳ端末）の製造と、上記本発明の分散型の商品販売データ処理装置のコントローラの製造とに際して、前記コントロールボックスフレーム及び前記ハードウェア構成物を共用するようにした。
【発明の効果】
【００１２】
本発明によれば、コントロールボックスフレームに段部が設けられていることから、このコントロールボックスフレームを一体型の商品販売データ処理装置に用いる場合には、段部をキーボードの設置空間として提供し、キーボードの高さを低くすることができる一方で、コントロールボックスフレームを分散型の商品販売データ処理装置に用いる場合には、段部に追加フレームを取り付けることでコントロールボックスフレームの先端側の高さと他の部分の高さとを揃え、トップカバーの支持強度を維持することができる。つまり、本発明によれば、分散型の商品販売データ処理装置のコントローラとして、幅や奥行きが短く、設置面積が小さいコントローラを実現させ得るようにコントロールボックスフレームを設計し、分散型の商品販売データ処理装置のコントローラに求められる形態上の要求を満足させながら、コントロールボックスフレームに段部を設け、コントロールボックスフレームを一体型の商品販売データ処理装置に用いる場合に段部をキーボードの設置空間として提供し、キーボードの高さを低くしたいという一体型の商品販売データ処理装置に求められる形態上の要求をも満足させることができ、したがって、コントロールボックスフレームのみならず、このコントロールボックスフレームに収納するハードウェア構成物についても、分散型の商品販売データ処理装置と一体型の商品販売データ処理装置とで部品の共通化を図ることができる。
【発明を実施するための最良の形態】
【００１３】
本発明の実施の一形態を図１ないし図１０に基づいて説明する。
【００１４】
［分散型の商品販売データ処理装置］
図１は、分散型の商品販売データ処理装置、本実施の形態ではＰＯＳ端末のコントローラ１０１を示す斜視図である。コントローラ１０１は、扁平形状をしており、トップカバー１０２とフロントカバー１０３とで覆われている。フロントカバー１０３には、このフロントカバー１０３の前面部分に開閉自在に設けられた蓋１０４を開閉するための鍵１０５が設けられている。トップカバー１０２には、正面から見てその右側に二つの排気口１０６ａ，１０６ｂが形成されている。
【００１５】
図２は、分散型のＰＯＳ端末のコントローラの分解斜視図である。図３は、コントロールボックスフレーム１０７の斜視図である。コントローラ１０１は、コントロールボックスフレーム１０７にハードウェア構成物１０８を収納し、コントロールボックスフレーム１０７に設けられた段部１０９に追加フレーム１１０を取り付けた状態で、その上面及び側面を覆うようにトップカバー１０２を取り付け、前面を覆うようにフロントカバー１０３を取り付けて構成されている。段部１０９は、コントロールボックスフレーム１０７の切欠形状によって形成され、コントロールボックスフレーム１０７の先端側の高さを他の部分の高さよりも低くするように形成されている。
【００１６】
コントロールボックスフレーム１０７は、扁平形状のフレーム構造体である。このようなコントロールボックスフレーム１０７は、図３に示すように、その内部が仕切り板１１１によって仕切られ、正面から見て右側の空間と左側の空間とが３：１〜４：１程度の割合で区切られている。便宜上、仕切り板１１１によって仕切られた右側の空間を右空間１１２、左側の空間を左空間１１３と呼ぶ。仕切り板１１１にも、段部１０９を形成するための切欠形状が形成されている。
【００１７】
コントロールボックスフレーム１０７の右空間１１２の側の右側壁には、前方側に排気用開口部１１４が形成され、第1の排気用開口部１１４以外の位置にはマザーボードを出し入れするためのマザーボード装着用開口部１１５が形成されている。マザーボード装着用開口部１１５の一部は、第２の排気用開口部１１５ａを兼ねている。コントロールボックスフレーム１０７の右空間１１２の側の背面壁には、各種のコネクタ１１６を外部に露出させるための複数個のコネクタ用開口部１１７が形成されている。
【００１８】
コントロールボックスフレーム１０７の左空間１１３の側の左側壁には、冷却用開口部１１８が形成されている。コントロールボックスフレーム１０７の左空間１１３の側の背面壁には、第３の排気用開口部１１９が形成されている。そして、コントロールボックスフレーム１０７の前面壁には、各種の開口部１２０が形成されている。
【００１９】
次いで、ハードウェア構成物１０８について説明する。コントロールボックスフレーム１０７の右空間１１２には、手前側に寄せてＨＤＤ１２１が配置され、その奥側には底面近くにマザーボード１２２が配置されている。マザーボード１２２は、図示しないＣＰＵやメモリ等を搭載している。ＣＰＵは熱源となる。このため、ＣＰＵの上には第２のファン１２３が取り付けられている。この第２のファン１２３は、その排気口１２３ａをコントロールボックスフレーム１０７のマザーボード装着用開口部１１５の一部に兼ねられた第２の排気用開口部１１５ａに対面させて配置されている。マザーボード１２２は、マザーボード装着用開口部１１５を介してコントロールボックスフレーム１０７に引き出し自在に装着される。
【００２０】
コントロールボックスフレーム１０７の右空間１１２には、背面壁に取り付けられたコネクタ基板１２４が配置されている。このコネクタ基板１２４は、複数個のコネクタ１１６を搭載する。
【００２１】
コントロールボックスフレーム１０７の右空間１１２には、仕切り板１１１の側壁に取り付けられた接続用ボード１２５が配置されている。この接続用ボード１２５は、コネクタ１１６やＨＤＤ１２１等と図示しないリード線を介して接続され、これらのコネクタ１１６やＨＤＤ１２１等とマザーボード１２２に搭載されたＣＰＵとを接続する役割を担う。この役割を果たすために、マザーボード１２２と接続用ボード１２５とには、コントロールボックスフレーム１０７に対するマザーボード１２２の装着動作に伴い接続される図示しないコネクタがそれぞれ設けられている。また、接続用ボード１２５には、拡張ボード１２６を装着するための拡張ボード用コネクタ１２７が複数個設けられており、これらの拡張ボード用コネクタ１２７には複数枚の拡張ボード１２６が差し込まれている。拡張ボード用コネクタ１２７に差し込まれた拡張ボード１２６は、接続用ボード１２５を介してマザーボード１２２に搭載されたＣＰＵに接続される。
【００２２】
コントロールボックスフレーム１０７の左空間１１３には、奥側に位置させて電源ユニット１２８が収納され、手前側に位置させて電源保護装置（ＵＰＳ）１２９が収納されている。熱源となる電源ユニット１２８の配置によって、左空間１１３からは熱を逃がす必要が生ずる。そこで、コントロールボックスフレーム１０７の背面壁には、その背面壁に形成された第３の排気用開口部１１９に位置させて図示しない第３のファンが取り付けられ、この第３のファンの作動によって左空間１１３から熱が逃がされる。また、電源ユニット１２８から発生した熱は、コントロールボックスフレーム１０７の冷却用開口部１１８からも逃がされる。
【００２３】
ここで、図２には図示しないが、電源ユニット１２８の一部は分割され、コントロールボックスフレーム１０７の右空間１１２の手前側において、ＨＤＤ１２１と接続用ボード１２５との間の部分に配置されている。
【００２４】
以上説明した各種のハードウェア構成物１０８は、コントロールボックスフレーム１０７の段部１０９によって形成される段部１０９の上方空間に侵入しないように配置されている。つまり、段部１０９によって、コントロールボックスフレーム１０７には高さが低い先端側の部分と高さが高い部分とが形成されている。図２に示すように、第２のファン１２３、接続用ボード１２５の一部、拡張ボード１２６、電源ユニット１２８は、コントロールボックスフレーム１０７の高さが高い部分に配置され、高さが低い先端部分よりも高い位置に位置付けられている。これに対して、ＨＤＤ１２１及び電源保護装置（ＵＰＳ）１２９は、コントロールボックスフレーム１０７の高さが低い部分に配置され、コントロールボックスフレーム１０７の高さよりも低い位置に位置付けられている。
【００２５】
次いで、追加フレーム１１０について説明する。追加フレーム１１０は、手前側と奥側の端部１１０ａ，１１０ｂが上方に向けて立ち上げられ、これらの立ち上げられた両端部１１０ａ，１１０ｂの間に空間部１１０ｃが形成されたフレーム構造体である。追加フレーム１１０は、コントロールボックスフレーム１０７の段部１０９に取り付けられ、段部１０９に取り付けられた状態で、手前側の端部１１０ａによって、コントロールボックスフレーム１０７の先端側の高さと先端側以外の部分の高さとを揃える役割を担う。
【００２６】
追加フレーム１１０には、空間部１１０ｃに位置させて光ディスクドライブ１３０とスピーカ１３１とが配置され、手前側から見て右側下面にはファンとしての第１のファン１３２が下方に延出するように取り付けられている。光ディスクドライブ１３０は、例えばＣＤ−ＲＯＭドライブであり、図示しない光ディスクを載置するトレイ１３３が手前に向けて水平にローディングされるように取り付けられている。追加フレーム１１０の手前側の端部１１０ａには、トレイ１３３のローディング動作に端部１１０ａが干渉しないようにするための逃げ部１３４が形成されている。第１のファン１３２は、コントロールボックスフレーム１０７の段部１０９に追加フレーム１１０が取り付けられた状態で、コントロールボックスフレーム１０７の右空間１１２の側の右側壁に形成された排気用開口部１１４の位置に位置付けられるように取り付けられている。
【００２７】
図４は、ハードウェア構成物１０８を収納し追加フレーム１１０が取り付けられたコントロールボックスフレーム１０７に対して、トップカバー１０２とフロントカバー１０３とを取り付ける状態を示す分解斜視図である。トップカバー１０２は、ハードウェア構成物１０８を収納し追加フレーム１１０が取り付けられたコントロールボックスフレーム１０７に対して、上から取り付けられる。トップカバー１０２は、コントロールボックスフレーム１０７の上面及び両側面を覆う。フロントカバー１０３は、ハードウェア構成物１０８を収納し追加フレーム１１０が取り付けられたコントロールボックスフレーム１０７に対して、前面に取り付けられる。フロントカバー１０３は、コントロールボックスフレーム１０７の前面を覆う。
【００２８】
［一体型の商品販売データ処理装置］
図５は、一体型の商品販売データ処理装置、本実施の形態ではＰＯＳ端末２０１を示す斜視図である。一体型のＰＯＳ端末２０１は、手前右側にキーボード２０２、手前左側に紙幣置き２０３、奥右側にオペレータ用と客面用とのそれぞれのディスプレイ２０４ａ，２０４ｂ、奥左側にプリンタ２０５が配置されて構成されている。
【００２９】
図６は、ＰＯＳ端末２０１の分解斜視図である。ＰＯＳ端末２０１は、本体フレーム２０６に各部が支持されて構成されている。つまり、本体フレーム２０６は、扁平形状のフレーム構造体であり、先端側の高さを他の部分の高さよりも低くする第２の段部２０７を有する。このような本体フレーム２０６には、コントロールボックスフレーム１０７が収納されている。そして、キーボード２０２及び紙幣置き２０３はキーボードユニット２０８として一体化され、第２の段部２０７の上面部分に固定される。奥右側にオペレータ用と客面用とのそれぞれのディスプレイ２０４ａ，２０４ｂは、ディスプレイユニット２０９として一体化され、本体フレーム２０６の第２の段部２０７ではない部分の上面に固定される。そして、プリンタ２０５はプリンタユニット２１０として構成され、本体フレーム２０６の第２の段部２０７ではない部分の上面であって、ディスプレイユニット２０９の隣接位置に固定される。さらに、本体フレーム２０６の正面と背面と両側面とは、これらの正面と背面と両側面とに着脱自在に取り付けられる４個の化粧カバー２１１によってそれぞれ覆われている。
【００３０】
図７は、キーボードユニット２０８とディスプレイユニット２０９とプリンタユニット２１０とを支持する本体フレーム２０６に対して、コントロールボックスフレーム１０７を装着する状態を示す分解斜視図である。図８は、その側面図である。コントロールボックスフレーム１０７は、本体フレーム２０６の第２の段部２０７に段部１０９を位置付けるようにして本体フレーム２０６の後部より装着される。コントロールボックスフレーム１０７は、本体フレーム２０６に対して引き出し自在である。
【００３１】
図９は、コントロールボックスフレーム１０７が装着された本体フレーム２０６に対して、キーボードユニット２０８とフロントの化粧カバー２１１とを取り付ける状態を示す側面図である。図９に示すように、本体フレーム２０６にコントロールボックスフレーム１０７を装着させたなら、キーボードユニット２０８及び前面の化粧カバー２１１を本体フレーム２０６に取り付け、さらに、図９には図示しないが両側面の化粧カバー２１１を本体フレーム２０６に取り付け、一体型のＰＯＳ端末２０１が完成する。
【００３２】
図１０は、完成した一体型のＰＯＳ端末２０１を示す側面図である。
【００３３】
なお、図７〜図９中、本体フレーム２０６に対してハードウェア構成物１０８が全く装着されていない状態のコントロールボックスフレーム１０７が装着される状態が示されているが、実際の製造時には、本体フレーム２０６に対してハードウェア構成物１０８の全部又は一部が装着された状態のコントロールボックスフレーム１０７が装着されることになる。
【００３４】
［分散型と一体型との関係］
本実施の形態によれば、分散型のＰＯＳ端末のコントローラ１０１の製造と、一体型のＰＯＳ端末２０１の製造とに際して、コントロールボックスフレーム１０７及びハードウェア構成物１０８を共用するようにした。
【００３５】
そして、コントロールボックスフレーム１０７に段部１０９が設けられていることから、このコントロールボックスフレーム１０７を一体型のＰＯＳ端末２０１に用いる場合には、段部１０９（本体フレーム２０６の第２の段部２０７）をキーボード２０２（キーボードユニット２０８）の設置空間として提供し、キーボード２０２の高さを低くすることができる一方で、コントロールボックスフレーム１０７を分散型のＰＯＳ端末に用いる場合には、段部１０９（本体フレーム２０６の第２の段部２０７）に追加フレーム１１０を取り付けることでコントロールボックスフレーム１０７の先端側の高さと他の部分の高さとを揃え、トップカバー１０２の支持強度を維持することができる。つまり、本実施の形態によれば、分散型のＰＯＳ端末のコントローラ１０１として、幅や奥行きが短く、設置面積が小さいコントローラ１０１を実現させ得るようにコントロールボックスフレーム１０７を設計し、分散型のＰＯＳ端末のコントローラ１０１に求められる形態上の要求を満足させながら、コントロールボックスフレーム１０７に段部１０９を設け、コントロールボックスフレーム１０７を一体型のＰＯＳ端末２０１に用いる場合に段部１０９（本体フレーム２０６の第２の段部２０７）をキーボード２０２（キーボードユニット２０８）の設置空間として提供し、キーボード２０２の高さを低くしたいという一体型のＰＯＳ端末２０１に求められる形態上の要求をも満足させることができ、したがって、コントロールボックスフレーム１０７のみならず、このコントロールボックスフレーム１０７に収納するハードウェア構成物１０８についても、分散型のＰＯＳ端末と一体型のＰＯＳ端末２０１とで部品の共通化を図ることができる。
【図面の簡単な説明】
【００３６】
【図１】本発明の実施の一形態を示す分散型のＰＯＳ端末のコントローラの斜視図である。
【図２】その分解斜視図である。
【図３】コントロールボックスフレームの斜視図である。
【図４】ハードウェア構成物を収納し追加フレームが取り付けられたコントロールボックスフレームに対して、トップカバーとフロントカバーとを取り付ける状態を示す分解斜視図である。
【図５】一体型のＰＯＳ端末を示す斜視図である。
【図６】その分解斜視図である。
【図７】キーボードユニットとディスプレイユニットとプリンタユニットとを支持する本体フレームに対して、コントロールボックスフレームを装着する状態を示す分解斜視図である。
【図８】キーボードユニットとディスプレイユニットとプリンタユニットとを支持する本体フレームに対して、コントロールボックスフレームを装着する状態を示す側面図である。
【図９】コントロールボックスフレームが装着された本体フレームに対して、キーボードユニットと前面の化粧カバーとを取り付ける状態を示す側面図である。
【図１０】一体型のＰＯＳ端末を示す側面図である。
【符号の説明】
【００３７】
１０３：フロントカバー、１０７：コントロールボックスフレーム、１０８：ハードウェア構成物、１０９：段部、１１０：追加フレーム、１０２：トップカバー、１３０：光ディスクドライブ、１３２：ファン（第１のファン）、１３３：トレイ、２０２：キーボード、２０４ａ，２０４ｂ：ディスプレイ、２０５：プリンタ、２０６：本体フレーム、２０７：第２の段部、２１１：化粧カバー
【図１】
2006092456.tif 000003
【図２】
2006092456.tif 000004
【図３】
2006092456.tif 000005
【図４】
2006092456.tif 000006
【図５】
2006092456.tif 000007
【図６】
2006092456.tif 000008
【図７】
2006092456.tif 000009
【図８】
2006092456.tif 000010
【図９】
2006092456.tif 000011
【図１０】
2006092456.tif 000012